(57)【要約】【課題】  患者と看護師と療事内容と療事を施す時間との一体的な把握を容易とするスケジュール表示装置およびスケジュール表示プログラムを提供すること。【解決手段】  スケジュール表示装置１００は、患者のＩＤと療事の表題情報と当該療事を施す時間情報と、当該療事を施す看護師のＩＤとを入力する情報入力部３０１と、情報入力部３０１により入力された情報を互いに対応づけて記憶する情報記憶部３０２と、患者に対する療事を所定の識別子に割り当てて表現する割当部３０４と、特定の看護師のスケジュールであって当該看護師に対応づけられている療事を割当部３０４により割り当てられた識別子により線形な時間軸上に配列したスケジュールを作成するスケジュール作成部３０５と、これにより作成されたスケジュールを表示する表示部３０６と、を備える。【選択図】図３
2006072420.tif 000002
【特許請求の範囲】
【請求項１】
患者の識別情報と、当該患者に施す看護業務ないし医療行為である療事の表題情報と、当該療事を施す時間情報と、当該療事を施す看護師の識別情報と、を入力する情報入力手段と、
前記情報入力手段により入力された情報を互いに対応づけて記憶する情報記憶手段と、
複数の看護師の中から特定の看護師を指定する看護師指定手段と、
ある患者に対するある療事を、当該患者に対する他の療事および他の患者に対する同一もしくは他の療事と比較して外観上一意に特定可能となるように、形、色、大きさ、その他の視覚上類別される属性のうちの一つを患者の識別用として他の一つを療事の識別用として割り当てて一つの識別子により表現する割当手段と、
前記看護師指定手段により指定された看護師のスケジュールであって、前記情報記憶手段により当該看護師に対応づけられている療事を前記割当手段により割り当てられた識別子により線形な時間軸上に配列したスケジュールを作成するスケジュール作成手段と、
前記スケジュール作成手段により作成されたスケジュールを表示する表示手段と、
を備えたことを特徴とするスケジュール表示装置。
【請求項２】
患者の識別情報と、当該患者に施す看護業務ないし医療行為である療事の表題情報と、当該療事を施す時間情報と、当該療事を施す看護師の識別情報と、を入力する情報入力手段と、
前記情報入力手段により入力された情報を互いに対応づけて記憶する情報記憶手段と、
複数の看護師の中から特定の看護師を指定する看護師指定手段と、
ある患者に対するある療事を、当該患者に対する他の療事および他の患者に対する同一もしくは他の療事と比較して外観上一意に特定可能となるように、形、色、大きさ、その他の視覚上類別される属性のうちの一つを患者の識別用として他の一つを療事の識別用として割り当てて一つの識別子により表現する割当手段と、
前記看護師指定手段により指定された看護師のスケジュールであって、前記情報記憶手段により当該看護師に対応づけられている療事を前記割当手段により割り当てられた識別子により線形な第一の時間軸上に配列したスケジュールを作成するスケジュール作成手段と、
前記スケジュール作成手段により作成されたスケジュールの配列を、直線の第二の軸を中心として等径等ピッチの螺旋状に巻き付けて表示する表示手段と、
を備えたことを特徴とするスケジュール表示装置。
【請求項３】
患者の識別情報と、当該患者に施す看護業務ないし医療行為である療事の表題情報と、当該療事を施す時間情報と、当該療事を施す看護師の識別情報と、を入力する情報入力手段と、
前記情報入力手段により入力された情報を互いに対応づけて記憶する情報記憶手段と、
複数の看護師の中から特定の看護師を指定する看護師指定手段と、
ある患者に対するある療事を、当該患者に対する他の療事および他の患者に対する同一もしくは他の療事と比較して外観上一意に特定可能となるように、形、色、大きさ、その他の視覚上類別される属性のうちの一つを患者の識別用として他の一つを療事の識別用として割り当てて一つの識別子により表現する割当手段と、
前記看護師指定手段により指定された看護師のスケジュールであって、前記情報記憶手段により当該看護師に対応づけられている療事を前記割当手段により割り当てられた識別子により線形な第一の時間軸上に配列したスケジュールを作成するスケジュール作成手段と、
前記スケジュール作成手段により作成されたスケジュールの配列を、直線の第二の軸を中心として等径等ピッチの螺旋状に巻き付けて当該第二の軸方向側から眺めた遠近法により表示する表示手段と、
を備えたことを特徴とするスケジュール表示装置。
【請求項４】
前記看護師指定手段により指定された看護師が施す総ての療事のスケジュールを表示すると共に、患者毎のスケジュールをあわせて表示する並列表示制御手段を備えたことを特徴とする請求項１、２または３に記載のスケジュール表示装置。
【請求項５】
患者の識別情報と、当該患者に施す看護業務ないし医療行為である療事の表題情報と、当該療事を施す時間情報と、当該療事を施す看護師の識別情報と、を入力する情報入力手段と、
前記情報入力手段により入力された情報を互いに対応づけて記憶する情報記憶手段と、
複数の看護師の中から特定の看護師を指定する看護師指定手段と、
ある患者に対するある療事を、当該患者に対する他の療事および他の患者に対する同一もしくは他の療事と比較して外観上一意に特定可能となるように、形、色、大きさ、その他の視覚上類別される属性のうちの一つを患者の識別用として他の一つを療事の識別用として割り当てて一つの識別子により表現する割当手段と、
前記看護師指定手段により指定された看護師のスケジュールであって、前記情報記憶手段により当該看護師に対応づけられている療事を前記割当手段により割り当てられた識別子により線形な第一の時間軸上に配列したスケジュールを作成するスケジュール作成手段と、
複数の患者の中の特定の患者または複数の療事の中の特定の療事のいずれかを指定する患者療事指定手段と、
前記患者療事指定手段により指定された特定の患者または特定の療事が一直線上にならぶように、前記スケジュール作成手段により作成されたスケジュールの配列を、直線の第二の軸を中心として螺旋状に巻き付けて表示する表示手段と、
を備えたことを特徴とするスケジュール表示装置。
【請求項６】
時間軸の単位時間当たりの表示長さを調節する表示長変更手段を備えたことを特徴とする請求項１〜５のいずれか一つに記載のスケジュール表示装置。
【請求項７】
前記情報入力手段により新たに入力された情報のうちの看護師の識別情報および療事を施す時間情報、並びに、前記情報記憶手段に既に記憶されている情報のうちの看護師の識別情報および療事を施す時間情報に基づいて、当該看護師のスケジュールに重複があるかないかを判定する重複判定手段と、
前記重複判定手段により重複があると判定された場合に、重複がある旨の警告をおこなう警告手段と、
を備えたことを特徴とする請求項１〜６のいずれか一つに記載のスケジュール表示装置。
【請求項８】
患者に施す看護業務ないし医療行為である療事の表題情報と、当該療事を施す時間情報と、当該療事を施す看護師の識別情報と、を入力する情報入力手段と、
前記情報入力手段により入力された情報を互いに対応づけて記憶する情報記憶手段と、
前記情報記憶手段により記憶された情報に基づいて、所定の一定時間間隔中に存在する療事の所要時間または療事の出現回数を療事毎に合計する療事合計手段と、
前記療事合計手段により合計された所要時間または出現回数を分布割合としたパイチャートを作成するパイチャート作成手段と、
前記パイチャート作成手段により作成されたパイチャートを、線形な時間軸上において前記時間間隔毎に表示する表示手段と、
を備えたことを特徴とするスケジュール表示装置。
【請求項９】
前記パイチャート作成手段を制御して、個々のパイチャート中の所要時間の総和または出現回数の総和に応じてパイチャートの直径または厚みを変更する容積変更制御手段を備えたことを特徴とする請求項８に記載のスケジュール表示装置。
【請求項１０】
看護師毎のパイチャートを並べて表示する並列表示制御手段を備えたことを特徴とする請求項８または９に記載のスケジュール表示装置。
【請求項１１】
患者の識別情報と、当該患者に施す看護業務ないし医療行為である療事の表題情報と、当該療事を施す時間情報と、を入力する情報入力手段と、
前記情報入力手段により入力された情報を互いに対応づけて記憶する情報記憶手段と、
前記情報記憶手段により記憶された情報に基づいて、所定の一定時間間隔中に存在する療事の所要時間または療事の出現回数を療事毎に合計する療事合計手段と、
前記療事合計手段により合計された所要時間または出現回数を分布割合としたパイチャートを作成するパイチャート作成手段と、
前記パイチャート作成手段により作成されたパイチャートを、線形な時間軸上において前記時間間隔毎に表示する表示手段と、
を備えたことを特徴とするスケジュール表示装置。
【請求項１２】
前記パイチャート作成手段を制御して、個々のパイチャート中の所要時間の総和または出現回数の総和に応じてパイチャートの直径または厚みを変更する容積変更制御手段を備えたことを特徴とする請求項１１に記載のスケジュール表示装置。
【請求項１３】
患者毎のパイチャートを並べて表示する並列表示制御手段を備えたことを特徴とする請求項１１または１２に記載のスケジュール表示装置。
【請求項１４】
患者の識別情報と、当該患者に施す看護業務ないし医療行為である療事の表題情報と、当該療事を施す時間情報と、当該療事を施す看護師の識別情報と、を互いに対応づけて記憶させたデータベースを備えるコンピュータを、
複数の看護師の中から特定の看護師を指定する看護師指定手段、
ある患者に対するある療事を、当該患者に対する他の療事および他の患者に対する同一もしくは他の療事と比較して外観上一意に特定可能となるように、形、色、大きさ、その他の視覚上類別される属性のうちの一つを患者の識別用として他の一つを療事の識別用として割り当てて一つの識別子により表現する割当手段、
前記看護師指定手段により指定された看護師のスケジュールであって、前記データベースにより当該看護師に対応づけられている療事を前記割当手段により割り当てられた識別子により線形な時間軸上に配列したスケジュールを作成するスケジュール作成手段、
および、
前記スケジュール作成手段により作成されたスケジュールを表示する表示手段、
として機能させることを特徴とするスケジュール表示プログラム。
【請求項１５】
患者の識別情報と、当該患者に施す看護業務ないし医療行為である療事の表題情報と、当該療事を施す時間情報と、当該療事を施す看護師の識別情報と、を互いに対応づけて記憶させたデータベースを備えるコンピュータを、
複数の看護師の中から特定の看護師を指定する看護師指定手段、
ある患者に対するある療事を、当該患者に対する他の療事および他の患者に対する同一もしくは他の療事と比較して外観上一意に特定可能となるように、形、色、大きさ、その他の視覚上類別される属性のうちの一つを患者の識別用として他の一つを療事の識別用として割り当てて一つの識別子により表現する割当手段、
前記看護師指定手段により指定された看護師のスケジュールであって、前記データベースにより当該看護師に対応づけられている療事を前記割当手段により割り当てられた識別子により線形な第一の時間軸上に配列したスケジュールを作成するスケジュール作成手段、
および、
前記スケジュール作成手段により作成されたスケジュールの配列を、直線の第二の軸を中心として等径等ピッチの螺旋状に巻き付けて表示する表示手段、
として機能させることを特徴とするスケジュール表示プログラム。
【請求項１６】
患者の識別情報と、当該患者に施す看護業務ないし医療行為である療事の表題情報と、当該療事を施す時間情報と、当該療事を施す看護師の識別情報と、を互いに対応づけて記憶させたデータベースを備えるコンピュータを、
複数の看護師の中から特定の看護師を指定する看護師指定手段、
ある患者に対するある療事を、当該患者に対する他の療事および他の患者に対する同一もしくは他の療事と比較して外観上一意に特定可能となるように、形、色、大きさ、その他の視覚上類別される属性のうちの一つを患者の識別用として他の一つを療事の識別用として割り当てて一つの識別子により表現する割当手段、
前記看護師指定手段により指定された看護師のスケジュールであって、前記データベースにより当該看護師に対応づけられている療事を前記割当手段により割り当てられた識別子により線形な第一の時間軸上に配列したスケジュールを作成するスケジュール作成手段、
および、
前記スケジュール作成手段により作成されたスケジュールの配列を、直線の第二の軸を中心として等径等ピッチの螺旋状に巻き付けて当該第二の軸方向側から眺めた遠近法により表示する表示手段、
として機能させることを特徴とするスケジュール表示プログラム。
【請求項１７】
コンピュータを、更に、
前記患者の識別情報、療事の表題情報、療事を施す時間情報、および、療事を施す看護師の識別情報を入力する情報入力手段、
および、
前記情報入力手段により入力された情報を互いに対応づけて前記データベースに記憶する情報記憶手段、
として機能させることを特徴とする請求項１４、１５または１６に記載のスケジュール表示プログラム。
【請求項１８】
コンピュータを、更に、
前記看護師指定手段により指定された看護師が施す総ての療事のスケジュールを表示すると共に、患者毎のスケジュールをあわせて表示する並列表示制御手段として機能させることを特徴とする請求項１４〜１７のいずれか一つに記載のスケジュール表示プログラム。
【請求項１９】
患者の識別情報と、当該患者に施す看護業務ないし医療行為である療事の表題情報と、当該療事を施す時間情報と、当該療事を施す看護師の識別情報と、を互いに対応づけて記憶させたデータベースを備えるコンピュータを、
複数の看護師の中から特定の看護師を指定する看護師指定手段、
ある患者に対するある療事を、当該患者に対する他の療事および他の患者に対する同一もしくは他の療事と比較して外観上一意に特定可能となるように、形、色、大きさ、その他の視覚上類別される属性のうちの一つを患者の識別用として他の一つを療事の識別用として割り当てて一つの識別子により表現する割当手段、
前記看護師指定手段により指定された看護師のスケジュールであって、前記データベースにより当該看護師に対応づけられている療事を前記割当手段により割り当てられた識別子により線形な第一の時間軸上に配列したスケジュールを作成するスケジュール作成手段、
複数の患者の中の特定の患者または複数の療事の中の特定の療事のいずれかを指定する患者療事指定手段、
および、
前記患者療事指定手段により指定された特定の患者または特定の療事が一直線上にならぶように、前記スケジュール作成手段により作成されたスケジュールの配列を、直線の第二の軸を中心として螺旋状に巻き付けて表示する表示手段、
として機能させることを特徴とするスケジュール表示プログラム。
【請求項２０】
コンピュータを、更に、
前記患者の識別情報、療事の表題情報、療事を施す時間情報、および、療事を施す看護師の識別情報を入力する情報入力手段、
および、
前記情報入力手段により入力された情報を互いに対応づけて前記データベースに記憶する情報記憶手段、
として機能させることを特徴とする請求項１９に記載のスケジュール表示プログラム。
【請求項２１】
コンピュータを、更に、
時間軸の単位時間当たりの表示長さを調節する表示長変更手段として機能させることを特徴とする請求項１４〜２０のいずれか一つに記載のスケジュール表示プログラム。
【請求項２２】
コンピュータを、更に、
前記情報入力手段により新たに入力された情報のうちの看護師の識別情報および療事を施す時間情報、並びに、前記データベースに既に記憶されている情報のうちの看護師の識別情報および療事を施す時間情報に基づいて、当該看護師のスケジュールに重複があるかないかを判定する重複判定手段、
および、
前記重複判定手段により重複があると判定された場合に、重複がある旨の警告をおこなう警告手段、
として機能させることを特徴とする請求項１４〜２１のいずれか一つに記載のスケジュール表示プログラム。
【請求項２３】
患者に施す看護業務ないし医療行為である療事の表題情報と、当該療事を施す時間情報と、当該療事を施す看護師の識別情報と、を互いに対応づけて記憶させたデータベースを備えるコンピュータを、
前記データベースに記憶された情報に基づいて、所定の一定時間間隔中に存在する療事の所要時間または療事の出現回数を療事毎に合計する療事合計手段、
前記療事合計手段により合計された所要時間または出現回数を分布割合としたパイチャートを作成するパイチャート作成手段、
および、
前記パイチャート作成手段により作成されたパイチャートを、線形な時間軸上において前記時間間隔毎に表示する表示手段、
として機能させることを特徴とするスケジュール表示プログラム。
【請求項２４】
コンピュータを、更に、
前記療事の表題情報、療事を施す時間情報、および、療事を施す看護師の識別情報を入力する情報入力手段、
および、
前記情報入力手段により入力された情報を互いに対応づけて前記データベースに記憶する情報記憶手段、
として機能させることを特徴とする請求項２３に記載のスケジュール表示プログラム。
【請求項２５】
コンピュータを、更に、
前記パイチャート作成手段を制御して、個々のパイチャート中の所要時間の総和または出現回数の総和に応じてパイチャートの直径または厚みを変更する容積変更制御手段として機能させることを特徴とする請求項２３または２４に記載のスケジュール表示プログラム。
【請求項２６】
コンピュータを、更に、
看護師毎のパイチャートを並べて表示する並列表示制御手段として機能させることを特徴とする請求項２３、２４または２５に記載のスケジュール表示プログラム。
【請求項２７】
患者の識別情報と、当該患者に施す看護業務ないし医療行為である療事の表題情報と、当該療事を施す時間情報と、を互いに対応づけて記憶させたデータベースを備えるコンピュータを、
前記データベースに記憶された情報に基づいて、所定の一定時間間隔中に存在する療事の所要時間または療事の出現回数を療事毎に合計する療事合計手段、
前記療事合計手段により合計された所要時間または出現回数を分布割合としたパイチャートを作成するパイチャート作成手段、
および、
前記パイチャート作成手段により作成されたパイチャートを、線形な時間軸上において前記時間間隔毎に表示する表示手段、
として機能させることを特徴とするスケジュール表示プログラム。
【請求項２８】
コンピュータを、更に、
前記患者の識別情報、療事の表題情報、および、療事を施す時間情報を入力する情報入力手段、
および、
前記情報入力手段により入力された情報を互いに対応づけて前記データベースに記憶する情報記憶手段、
として機能させることを特徴とする請求項２７に記載のスケジュール表示プログラム。
【請求項２９】
コンピュータを、更に、
前記パイチャート作成手段を制御して、個々のパイチャート中の所要時間の総和または出現回数の総和に応じてパイチャートの直径または厚みを変更する容積変更制御手段として機能させることを特徴とする請求項２７または２８に記載のスケジュール表示プログラム。
【請求項３０】
コンピュータを、更に、
患者毎のパイチャートを並べて表示する並列表示制御手段として機能させることを特徴とする請求項２７、２８または２９に記載のスケジュール表示プログラム。
【発明の詳細な説明】
【技術分野】
【０００１】
本発明は、スケジュール表示装置およびスケジュール表示プログラムに関し、特に、患者に施す看護業務ないし医療行為である療事に関するスケジュールを視覚的に簡便に把握可能とするスケジュール表示装置およびスケジュール表示プログラムに関する。
【背景技術】
【０００２】
従来、入院施設を備えた病院では、複数の看護師がそれぞれ複数の患者に対して注射、点滴その他の看護業務ないし医療行為（以降において便宜的に療事と称することとする）をおこなうのが常である。また、患者の側からみても、いつも一人の看護師が対応してくれるわけでなく、複数の看護師が療事を施すのが常である。すなわち、看護師と患者と療事とは、それぞれが多対多の関係にあった。
【０００３】
このような状況の下、各病棟や各科では、看護師とその受け持ちの患者と療事の内容とをスケジュール表にして管理していた。図１９は、従来のスケジュール表の例を示した図である。例示したように、スケジュール表には、看護師が横マス（看護師Ａ，看護師Ｂ、看護師Ｃ、、、）に、療事の表題情報が縦マス（療事α、療事β、療事γ）に記入され、各マスには、その患者に対していつ療事を施すべきかが記入されている。このような表により、従来では、各看護師が自分のやるべき仕事を把握し、看護師長は、看護師に与える仕事内容（療事内容）を割り振っていた。
【０００４】
【特許文献１】特開平０９−２５１４８８公報
【特許文献２】特開２００４−１０３００１公報
【発明の開示】
【発明が解決しようとする課題】
【０００５】
しかしながら、従来の技術では以下の問題点があった。
すなわち、多対多の関係では、図１９に示すようなスケジュール表があったとしても、患者と看護師と療事内容と時間との一体的な把握が困難であるという問題点があった。図１９に示した例では、看護師Ａは、患者甲に対し１０時００分に療事α（例えば採血）を施した後、患者乙に対して１０時１０分から療事γ（例えば点滴）を施し、そして１０時１５分に再び患者甲に対して療事β（注射）を施すというスケジュールが組まれている。
【０００６】
このように療事毎のスケジュール表であると、「どの患者に何時療事を施すか」ということが飛び飛びになってしまい、患者をとり違えてしまったり、時間を間違えてしまったりする可能性があるという問題点があった。また、この例では説明の便宜上、表題を少なくしているが、実際には表題と患者数はもっと多いので、把握すべき情報が多すぎ、確認ミス、実施漏れ、業務ミスにもつながる可能性が高くなってしまうという問題点があった。この問題点は、例えば、表を看護師と患者によって縦マス横マスを形成しても同様であり、今度は療事と時間の見通しが悪くなる、という問題点が発生する。換言すれば、従来の技術では、療事の時系列を連続的ないし直感的に認識しづらいという問題点があった。
【０００７】
また、看護師に療事を割り振る担当医や看護師長にとっても、図１９にあげたスケジュール表では、看護師Ａに対してある時刻に療事αを依頼しようとしても、その時刻に看護師Ａが対応できるかどうかは他のマスを見てからでないと決められないという問題点があった。また、療事によっては、例えば、終了時刻も考慮せねばならない場合もあり、依頼自体に多大な時間がかかってしまうという問題点があった。また、表を見過ごしてしまった場合などには、同じ時間に複数の予定が競合してしまう場合があるという致命的な問題点があった。
【０００８】
また、医療の現場においては、患者の様態に応じてまたは新たな患者の到来によって、予定が変更されるのが常態であるため、即時的な予定把握の要請が潜在的に内在する。また、点滴といった、有限回数で終わる定期的な療事もあるので、開始時期を指定するときに、将来的にも予定の競合が発生しないか否かの把握が必要となる。この点に関しても、従来のスケジュール表では、対応できないなど問題点があった。
【０００９】
また、看護師長などの管理責任者は、効率的な病院運営も任せられる立場にあるため、業務の効率化を図る必要がある。しかしながら、従来のスケジュール管理では、どこに業務の無駄があるのか把握しづらいという問題点があった。
【００１０】
本発明は上記に鑑みてなされたものであって、患者と看護師と療事内容と療事を施す時間との一体的な把握が容易にできるスケジュール表示装置およびスケジュール表示プログラムを提供することを目的とする。また、療事の時系列を連続的ないし直感的に認識可能なスケジュール表示装置およびスケジュール表示プログラムを提供することを目的とする。
【００１１】
また、スケジュールの競合を防止可能なスケジュール表示装置およびスケジュール表示プログラムを提供することを目的とする。
【００１２】
また、業務の効率化を図ることが可能なスケジュール表示装置およびスケジュール表示プログラムを提供することを目的とする。
【課題を解決するための手段】
【００１３】
上記の課題を解決するために、請求項１に記載のスケジュール表示装置は、患者の識別情報と、当該患者に施す看護業務ないし医療行為である療事の表題情報と、当該療事を施す時間情報と、当該療事を施す看護師の識別情報と、を入力する情報入力手段と、前記情報入力手段により入力された情報を互いに対応づけて記憶する情報記憶手段と、複数の看護師の中から特定の看護師を指定する看護師指定手段と、ある患者に対するある療事を、当該患者に対する他の療事および他の患者に対する同一もしくは他の療事と比較して外観上一意に特定可能となるように、形、色、大きさ、その他の視覚上類別される属性のうちの一つを患者の識別用として他の一つを療事の識別用として割り当てて一つの識別子により表現する割当手段と、前記看護師指定手段により指定された看護師のスケジュールであって、前記情報記憶手段により当該看護師に対応づけられている療事を前記割当手段により割り当てられた識別子により線形な時間軸上に配列したスケジュールを作成するスケジュール作成手段と、前記スケジュール作成手段により作成されたスケジュールを表示する表示手段と、を備えたことを特徴とする。
【００１４】
すなわち、請求項１にかかる発明は、看護師毎に、スケジュールの粗密およびスケジュールの時間間隔（リズム）を識別子により視覚的に表現する。これにより、患者と看護師と療事内容と療事を施す時間との一体的な把握が容易にできるスケジュール表示装置を提供可能となる。なお、本願では、療事とは、看護業務ないし医療行為を意味することとし、患者の治療に必要な行為ないし事象を意味するものとする。具体的には、療事とは、療養上の世話といった看護業務や、診療上の介助といった医療行為をあげることができる。
【００１５】
また、患者の識別情報とは、患者の氏名やＩＤその他患者を一意に特定できる情報を意味する。また、表題情報とは、点滴、注射、与薬、清拭くなどの療事名を意味する。また、時間情報とは、療事を施す時刻をいい、ある程度の時間が必要なもの（例えば点滴）に関しては必要時間（または終了時刻）も含むものとする。また、看護師の識別情報とは、看護師の氏名やＩＤその他看護師を一意に特定できる情報を意味する。
【００１６】
なお、看護師とは、患者に対して療事を施す者を意味し、狭義の看護師の他、医師を含んでいてもよいものとする。この意味において、看護師は療事実施者ということができる。
【００１７】
なお、識別子は、例えば、患者を特定する属性として形（○：患者甲、□：患者乙、△：患者丙、▽：患者丁、☆：患者戊）をもちい、療事を特定する属性として色（注射α：黄、与薬β：ライトグリーン、点滴γ：濃紺、検温κ：ピンク、採血δ：ダークグリーン手術ω：赤）をもちい、形と色を特定して、識別子一つによって患者と療事の二つの情報を埋め込んだものをいう。上の例では、識別子として黄色いい○が表現されている場合は、患者甲に対して注射αをすることを意味する。なお、二つの属性を表すことができない組合せ、例えば、「大きさ」と輪郭がもともと概念できない「色」とは識別子を構成するものではないことは言うまでもない。
【００１８】
また、線形な時間軸とは、療事を施す時間に対応させて識別子をスケジュール表に割り振ったときに、識別子間の長さが、時間長さと比例関係にある時間軸をいう。
【００１９】
なお、ここにいうスケジュールの表現は、特に限定されるものではないが、例えば、長細い帯を描画し、この上に識別子を表記する態様をあげることができる。これにより線形の時間軸が帯の長手方向に対応するので時間間隔を認識し易くなる。
【００２０】
また、請求項２に記載のスケジュール表示装置は、患者の識別情報と、当該患者に施す看護業務ないし医療行為である療事の表題情報と、当該療事を施す時間情報と、当該療事を施す看護師の識別情報と、を入力する情報入力手段と、前記情報入力手段により入力された情報を互いに対応づけて記憶する情報記憶手段と、複数の看護師の中から特定の看護師を指定する看護師指定手段と、ある患者に対するある療事を、当該患者に対する他の療事および他の患者に対する同一もしくは他の療事と比較して外観上一意に特定可能となるように、形、色、大きさ、その他の視覚上類別される属性のうちの一つを患者の識別用として他の一つを療事の識別用として割り当てて一つの識別子により表現する割当手段と、前記看護師指定手段により指定された看護師のスケジュールであって、前記情報記憶手段により当該看護師に対応づけられている療事を前記割当手段により割り当てられた識別子により線形な第一の時間軸上に配列したスケジュールを作成するスケジュール作成手段と、前記スケジュール作成手段により作成されたスケジュールの配列を、直線の第二の軸を中心として等径等ピッチの螺旋状に巻き付けて表示する表示手段と、を備えたことを特徴とする。
【００２１】
すなわち、請求項２にかかる発明は、螺旋をもちいた三次元表現により限られた表示面積を有効活用すると共に、一周分の時間間隔が等しくなり次の一周（単位時間）までにどのような予定が入っているのかを視覚的に表現する。これにより、療事の時系列を連続的ないし直感的に認識可能なスケジュール表示装置を提供可能となる。なお、配列の順序が明瞭に区別できるように、第一の時間軸を線ないし帯状に表現し当該線ないし帯上に識別子を配置するのが好ましい。
【００２２】
また、請求項３に記載のスケジュール表示装置は、患者の識別情報と、当該患者に施す看護業務ないし医療行為である療事の表題情報と、当該療事を施す時間情報と、当該療事を施す看護師の識別情報と、を入力する情報入力手段と、前記情報入力手段により入力された情報を互いに対応づけて記憶する情報記憶手段と、複数の看護師の中から特定の看護師を指定する看護師指定手段と、ある患者に対するある療事を、当該患者に対する他の療事および他の患者に対する同一もしくは他の療事と比較して外観上一意に特定可能となるように、形、色、大きさ、その他の視覚上類別される属性のうちの一つを患者の識別用として他の一つを療事の識別用として割り当てて一つの識別子により表現する割当手段と、前記看護師指定手段により指定された看護師のスケジュールであって、前記情報記憶手段により当該看護師に対応づけられている療事を前記割当手段により割り当てられた識別子により線形な第一の時間軸上に配列したスケジュールを作成するスケジュール作成手段と、前記スケジュール作成手段により作成されたスケジュールの配列を、直線の第二の軸を中心として等径等ピッチの螺旋状に巻き付けて当該第二の軸方向側から眺めた遠近法により表示する表示手段と、を備えたことを特徴とする。
【００２３】
すなわち、請求項３にかかる発明は、渦巻き表現により次の一周（単位時間）までにどのような予定が入っているのかを直近の予定ほど大きく見えるようにして描画する。これにより、療事の時系列を連続的ないし直感的に認識可能なスケジュール表示装置を提供可能となる。なお、配列の順序が明瞭に区別できるように、第一の時間軸を線ないし帯状に表現し当該線ないし帯上に識別子を配置するのが好ましい。
【００２４】
また、請求項４に記載のスケジュール表示装置は、請求項１、２または３に記載のスケジュール表示装置において、前記看護師指定手段により指定された看護師が施す総ての療事のスケジュールを表示すると共に、患者毎のスケジュールをあわせて表示する並列表示制御手段を備えたことを特徴とする。
【００２５】
すなわち請求項４にかかる発明は、複数の患者を抱える看護師が、全体的なスケジュールと個々の患者に対するスケジュールとを相互に対比可能に表現する。
【００２６】
また、請求項５に記載のスケジュール表示装置は、患者の識別情報と、当該患者に施す看護業務ないし医療行為である療事の表題情報と、当該療事を施す時間情報と、当該療事を施す看護師の識別情報と、を入力する情報入力手段と、前記情報入力手段により入力された情報を互いに対応づけて記憶する情報記憶手段と、複数の看護師の中から特定の看護師を指定する看護師指定手段と、ある患者に対するある療事を、当該患者に対する他の療事および他の患者に対する同一もしくは他の療事と比較して外観上一意に特定可能となるように、形、色、大きさ、その他の視覚上類別される属性のうちの一つを患者の識別用として他の一つを療事の識別用として割り当てて一つの識別子により表現する割当手段と、前記看護師指定手段により指定された看護師のスケジュールであって、前記情報記憶手段により当該看護師に対応づけられている療事を前記割当手段により割り当てられた識別子により線形な第一の時間軸上に配列したスケジュールを作成するスケジュール作成手段と、複数の患者の中の特定の患者または複数の療事の中の特定の療事のいずれかを指定する患者療事指定手段と、前記患者療事指定手段により指定された特定の患者または特定の療事が一直線上にならぶように、前記スケジュール作成手段により作成されたスケジュールの配列を、直線の第二の軸を中心として螺旋状に巻き付けて表示する表示手段と、
を備えたことを特徴とする。
【００２７】
すなわち、請求項５にかかる発明は、ある患者に対して療事を施す時間間隔（ただし療事内容は問わない）の粗密、または、ある療事自体の時間間隔（ただし患者を問わない）の粗密を、螺旋の径により視覚的に表現する（間隔があく場合には径が広くなり、間隔が詰まっている場合には径が狭くなる）。これにより、患者と看護師と療事内容と療事を施す時間との一体的な把握を容易とし、かつ、療事の時系列を連続的ないし直感的に認識可能なスケジュール表示装置を提供可能となる。
【００２８】
また、請求項６に記載のスケジュール表示装置は、請求項１〜５のいずれか一つに記載のスケジュール表示装置において、時間軸の単位時間当たりの表示長さを調節する表示長変更手段を備えたことを特徴とする。
【００２９】
すなわち、請求項６にかかる発明は、スケジュールの表示間隔を変更可能とする。換言すれば、スケジュールの配列を遠目で見て、ロングスパンの予定も把握可能にし、反対に、識別子が重なるような場合には、近づいて見て、予定を詳細にかつ確実に把握可能にもする。
【００３０】
また、請求項７に記載のスケジュール表示装置は、請求項１〜６のいずれか一つに記載のスケジュール表示装置において、前記情報入力手段により新たに入力された情報のうちの看護師の識別情報および療事を施す時間情報、並びに、前記情報記憶手段に既に記憶されている情報のうちの看護師の識別情報および療事を施す時間情報に基づいて、当該看護師のスケジュールに重複があるかないかを判定する重複判定手段と、前記重複判定手段により重複があると判定された場合に、重複がある旨の警告をおこなう警告手段と、を備えたことを特徴とする。
【００３１】
すなわち、請求項７にかかる発明は、スケジュールの競合を防止可能なスケジュール表示装置を提供する。従って、本発明によれば、医療過誤防止の確実性を向上し、過剰医療の抑制も実現でき、また、他の看護師への療事の割り振りを促すことも可能となる。
【００３２】
また、請求項８に記載のスケジュール表示装置は、患者に施す看護業務ないし医療行為である療事の表題情報と、当該療事を施す時間情報と、当該療事を施す看護師の識別情報と、を入力する情報入力手段と、前記情報入力手段により入力された情報を互いに対応づけて記憶する情報記憶手段と、前記情報記憶手段により記憶された情報に基づいて、所定の一定時間間隔中に存在する療事の所要時間または療事の出現回数を療事毎に合計する療事合計手段と、前記療事合計手段により合計された所要時間または出現回数を分布割合としたパイチャートを作成するパイチャート作成手段と、前記パイチャート作成手段により作成されたパイチャートを、線形な時間軸上において前記時間間隔毎に表示する表示手段と、を備えたことを特徴とする。
【００３３】
すなわち、請求項８にかかる発明は、看護師毎に、所定時間内に施すべき療事の内容およびそれに割かれる時間割合ないし頻度を一見して把握可能に表現する。従って、業務の効率化を図ることが可能なスケジュール表示装置を提供することが可能となる。
【００３４】
また、請求項９に記載のスケジュール表示装置は、請求項８に記載のスケジュール表示装置において、前記パイチャート作成手段を制御して、個々のパイチャート中の所要時間の総和または出現回数の総和に応じてパイチャートの直径または厚みを変更する容積変更制御手段を備えたことを特徴とする。
【００３５】
すなわち、請求項９にかかる発明は、療事の時間または頻度の粗密（看護師の忙しさ）もあわせて簡便に把握可能に表現する。
【００３６】
また、請求項１０に記載のスケジュール表示装置は、請求項８または９に記載のスケジュール表示装置において、看護師毎のパイチャートを並べて表示する並列表示制御手段を備えたことを特徴とする。
【００３７】
すなわち、請求項１０にかかる発明は、看護師長その他の病棟責任者が、全体的な業務（療事）の分布割合と共に、個々の看護師のスケジュールも相互に対比可能に表現する。これにより、スキルに応じた看護師の割り振りや均等な仕事の割り振りが可能となり看護師全体で見た場合の無駄な時間をなくすことができる。
【００３８】
また、請求項１１に記載のスケジュール表示装置は、患者の識別情報と、当該患者に施す看護業務ないし医療行為である療事の表題情報と、当該療事を施す時間情報と、を入力する情報入力手段と、前記情報入力手段により入力された情報を互いに対応づけて記憶する情報記憶手段と、前記情報記憶手段により記憶された情報に基づいて、所定の一定時間間隔中に存在する療事の所要時間または療事の出現回数を療事毎に合計する療事合計手段と、前記療事合計手段により合計された所要時間または出現回数を分布割合としたパイチャートを作成するパイチャート作成手段と、前記パイチャート作成手段により作成されたパイチャートを、線形な時間軸上において前記時間間隔毎に表示する表示手段と、を備えたことを特徴とする。
【００３９】
すなわち、請求項１１にかかる発明は、ある患者に対して特定の療事の頻度ないし時間が突出しているかいないかを判定可能に表現する。従って、医療ミス防止に資するスケジュール表示装置を提供可能となる。
【００４０】
また、請求項１２に記載のスケジュール表示装置は、請求項１１に記載のスケジュール表示装置において、前記パイチャート作成手段を制御して、個々のパイチャート中の所要時間の総和または出現回数の総和に応じてパイチャートの直径または厚みを変更する容積変更制御手段を備えたことを特徴とする。
【００４１】
すなわち、請求項１２にかかる発明は、療事の時間または頻度の粗密（患者への負担の大きさ）もあわせて簡便に把握可能に表現する。
【００４２】
また、請求項１３に記載のスケジュール表示装置は、請求項１１または１２に記載のスケジュール表示装置において、患者毎のパイチャートを並べて表示する並列表示制御手段を備えたことを特徴とする。
【００４３】
すなわち、請求項１３にかかる発明は、同じ病気で入院した患者同士を比較して、同様のパイチャートパターンが得られているかを把握して、医療ミス防止の多面的チェックが可能となるように表現する。
【００４４】
また、請求項１４に記載のスケジュール表示プログラムは、患者の識別情報と、当該患者に施す看護業務ないし医療行為である療事の表題情報と、当該療事を施す時間情報と、当該療事を施す看護師の識別情報と、を互いに対応づけて記憶させたデータベースを備えるコンピュータを、複数の看護師の中から特定の看護師を指定する看護師指定手段、ある患者に対するある療事を、当該患者に対する他の療事および他の患者に対する同一もしくは他の療事と比較して外観上一意に特定可能となるように、形、色、大きさ、その他の視覚上類別される属性のうちの一つを患者の識別用として他の一つを療事の識別用として割り当てて一つの識別子により表現する割当手段、前記看護師指定手段により指定された看護師のスケジュールであって、前記データベースにより当該看護師に対応づけられている療事を前記割当手段により割り当てられた識別子により線形な時間軸上に配列したスケジュールを作成するスケジュール作成手段、および、前記スケジュール作成手段により作成されたスケジュールを表示する表示手段、として機能させることを特徴とする。
【００４５】
すなわち、請求項１４にかかる発明は、看護師毎に、スケジュールの粗密およびスケジュールの時間間隔（リズム）を識別子により視覚的に表現する。これにより、患者と看護師と療事内容と療事を施す時間との一体的な把握が容易にできるスケジュール表示プログラムを提供可能となる。
【００４６】
また、請求項１５に記載のスケジュール表示プログラムは、患者の識別情報と、当該患者に施す看護業務ないし医療行為である療事の表題情報と、当該療事を施す時間情報と、当該療事を施す看護師の識別情報と、を互いに対応づけて記憶させたデータベースを備えるコンピュータを、複数の看護師の中から特定の看護師を指定する看護師指定手段、ある患者に対するある療事を、当該患者に対する他の療事および他の患者に対する同一もしくは他の療事と比較して外観上一意に特定可能となるように、形、色、大きさ、その他の視覚上類別される属性のうちの一つを患者の識別用として他の一つを療事の識別用として割り当てて一つの識別子により表現する割当手段、前記看護師指定手段により指定された看護師のスケジュールであって、前記データベースにより当該看護師に対応づけられている療事を前記割当手段により割り当てられた識別子により線形な第一の時間軸上に配列したスケジュールを作成するスケジュール作成手段、および、前記スケジュール作成手段により作成されたスケジュールの配列を、直線の第二の軸を中心として等径等ピッチの螺旋状に巻き付けて表示する表示手段、として機能させることを特徴とする。
【００４７】
すなわち、請求項１５にかかる発明は、螺旋をもちいた三次元表現により限られた表示面積を有効活用すると共に、一周分の時間間隔が等しくなり次の一周（単位時間）までにどのような予定が入っているのかを視覚的に表現する。これにより、療事の時系列を連続的ないし直感的に認識可能なスケジュール表示プログラムを提供可能となる。なお、配列の順序が明瞭に区別できるように、第一の時間軸を線ないし帯状に表現し当該線ないし帯上に識別子を配置するのが好ましい。
【００４８】
また、請求項１６に記載のスケジュール表示プログラムは、患者の識別情報と、当該患者に施す看護業務ないし医療行為である療事の表題情報と、当該療事を施す時間情報と、当該療事を施す看護師の識別情報と、を互いに対応づけて記憶させたデータベースを備えるコンピュータを、複数の看護師の中から特定の看護師を指定する看護師指定手段、ある患者に対するある療事を、当該患者に対する他の療事および他の患者に対する同一もしくは他の療事と比較して外観上一意に特定可能となるように、形、色、大きさ、その他の視覚上類別される属性のうちの一つを患者の識別用として他の一つを療事の識別用として割り当てて一つの識別子により表現する割当手段、前記看護師指定手段により指定された看護師のスケジュールであって、前記データベースにより当該看護師に対応づけられている療事を前記割当手段により割り当てられた識別子により線形な第一の時間軸上に配列したスケジュールを作成するスケジュール作成手段、および、前記スケジュール作成手段により作成されたスケジュールの配列を、直線の第二の軸を中心として等径等ピッチの螺旋状に巻き付けて当該第二の軸方向側から眺めた遠近法により表示する表示手段、として機能させることを特徴とする。
【００４９】
すなわち、請求項１６にかかる発明は、渦巻き表現により次の一周（単位時間）までにどのような予定が入っているのかを直近の予定ほど大きく見えるようにして描画する。これにより、療事の時系列を連続的ないし直感的に認識可能なスケジュール表示プログラムを提供可能となる。なお、配列の順序が明瞭に区別できるように、第一の時間軸を線ないし帯状に表現し当該線ないし帯上に識別子を配置するのが好ましい。
【００５０】
また、請求項１７に記載のスケジュール表示プログラムは、請求項１４、１５または１６に記載のスケジュール表示プログラムにおいて、コンピュータを、更に、前記患者の識別情報、療事の表題情報、療事を施す時間情報、および、療事を施す看護師の識別情報を入力する情報入力手段、および、前記情報入力手段により入力された情報を互いに対応づけて前記データベースに記憶する情報記憶手段、として機能させることを特徴とする。
【００５１】
すなわち、請求項１７にかかる発明によれば、利便性の高いスケジュール表示プログラムを提供可能となる。
【００５２】
また、請求項１８に記載のスケジュール表示プログラムは、請求項１４〜１７のいずれか一つに記載のスケジュール表示プログラムにおいて、コンピュータを、更に、前記看護師指定手段により指定された看護師が施す総ての療事のスケジュールを表示すると共に、患者毎のスケジュールをあわせて表示する並列表示制御手段として機能させることを特徴とする。
【００５３】
すなわち、請求項１８にかかる発明は、複数の患者を抱える看護師が、全体的なスケジュールと個々の患者に対するスケジュールとを相互に対比可能に表現する。
【００５４】
また、請求項１９に記載のスケジュール表示プログラムは、患者の識別情報と、当該患者に施す看護業務ないし医療行為である療事の表題情報と、当該療事を施す時間情報と、当該療事を施す看護師の識別情報と、を互いに対応づけて記憶させたデータベースを備えるコンピュータを、複数の看護師の中から特定の看護師を指定する看護師指定手段、ある患者に対するある療事を、当該患者に対する他の療事および他の患者に対する同一もしくは他の療事と比較して外観上一意に特定可能となるように、形、色、大きさ、その他の視覚上類別される属性のうちの一つを患者の識別用として他の一つを療事の識別用として割り当てて一つの識別子により表現する割当手段、前記看護師指定手段により指定された看護師のスケジュールであって、前記データベースにより当該看護師に対応づけられている療事を前記割当手段により割り当てられた識別子により線形な第一の時間軸上に配列したスケジュールを作成するスケジュール作成手段、複数の患者の中の特定の患者または複数の療事の中の特定の療事のいずれかを指定する患者療事指定手段、および、前記患者療事指定手段により指定された特定の患者または特定の療事が一直線上にならぶように、前記スケジュール作成手段により作成されたスケジュールの配列を、直線の第二の軸を中心として螺旋状に巻き付けて表示する表示手段、として機能させることを特徴とする。
【００５５】
すなわち、請求項１９にかかる発明は、ある患者に対して療事を施す時間間隔（ただし療事内容は問わない）の粗密、または、ある療事自体の時間間隔（ただし患者を問わない）の粗密を螺旋の径により視覚的に表現する（間隔があく場合には径が広くなり、間隔が詰まっている場合には径が狭くなる）。これにより、患者と看護師と療事内容と療事を施す時間との一体的な把握を容易とし、かつ、療事の時系列を連続的ないし直感的に認識可能なスケジュール表示プログラムを提供可能となる。
【００５６】
また、請求項２０に記載のスケジュール表示プログラムは、請求項１９に記載のスケジュール表示プログラムにおいて、コンピュータを、更に、前記患者の識別情報、療事の表題情報、療事を施す時間情報、および、療事を施す看護師の識別情報を入力する情報入力手段、および、前記情報入力手段により入力された情報を互いに対応づけて前記データベースに記憶する情報記憶手段、として機能させることを特徴とする。
【００５７】
すなわち、請求項２０にかかる発明によれば、利便性の高いスケジュール表示プログラムを提供可能となる。
【００５８】
また、請求項２１に記載のスケジュール表示プログラムは、請求項１４〜２０のいずれか一つに記載のスケジュール表示プログラムにおいて、コンピュータを、更に、
時間軸の単位時間当たりの表示長さを調節する表示長変更手段として機能させることを特徴とする。
【００５９】
すなわち、請求項２１にかかる発明は、スケジュールの表示間隔を変更可能とする。換言すれば、スケジュールの配列を遠目で見て、ロングスパンの予定も把握可能にし、反対に、識別子が重なるような場合には、近づいて見て、予定を詳細にかつ確実に把握可能にもする。
【００６０】
また、請求項２２に記載のスケジュール表示プログラムは、請求項１４〜２１のいずれか一つに記載のスケジュール表示プログラムにおいて、コンピュータを、更に、前記情報入力手段により新たに入力された情報のうちの看護師の識別情報および療事を施す時間情報、並びに、前記データベースに既に記憶されている情報のうちの看護師の識別情報および療事を施す時間情報に基づいて、当該看護師のスケジュールに重複があるかないかを判定する重複判定手段、および、前記重複判定手段により重複があると判定された場合に、重複がある旨の警告をおこなう警告手段、として機能させることを特徴とする。
【００６１】
すなわち、請求項２２にかかる発明は、スケジュールの競合を防止可能なスケジュール表示プログラムを提供する。従って、本発明によれば、医療ミス防止の確実性を向上し、過剰医療の抑制も実現でき、また、他の看護師への療事の割り振りを促すことも可能となる。
【００６２】
また、請求項２３に記載のスケジュール表示プログラムは、患者に施す看護業務ないし医療行為である療事の表題情報と、当該療事を施す時間情報と、当該療事を施す看護師の識別情報と、を互いに対応づけて記憶させたデータベースを備えるコンピュータを、前記データベースに記憶された情報に基づいて、所定の一定時間間隔中に存在する療事の所要時間または療事の出現回数を療事毎に合計する療事合計手段、前記療事合計手段により合計された所要時間または出現回数を分布割合としたパイチャートを作成するパイチャート作成手段、および、前記パイチャート作成手段により作成されたパイチャートを、線形な時間軸上において前記時間間隔毎に表示する表示手段、として機能させることを特徴とする。
【００６３】
すなわち、請求項２３にかかる発明は、看護師毎に、所定時間内に施すべき療事の内容およびそれに割かれる時間割合ないし頻度を一見して把握可能に表現する。従って、業務の効率化を図ることが可能なスケジュール表示プログラムを提供することが可能となる。
【００６４】
また、請求項２４に記載のスケジュール表示プログラムは、請求項２３に記載のスケジュール表示プログラムにおいて、コンピュータを、更に、前記療事の表題情報、療事を施す時間情報、および、療事を施す看護師の識別情報を入力する情報入力手段、および、前記情報入力手段により入力された情報を互いに対応づけて前記データベースに記憶する情報記憶手段、として機能させることを特徴とする。
【００６５】
すなわち、請求項２４にかかる発明によれば、利便性の高いスケジュール表示プログラムを提供可能となる。
【００６６】
また、請求項２５に記載のスケジュール表示プログラムは、請求項２３または２４に記載のスケジュール表示プログラムにおいて、コンピュータを、更に、前記パイチャート作成手段を制御して、個々のパイチャート中の所要時間の総和または出現回数の総和に応じてパイチャートの直径または厚みを変更する容積変更制御手段として機能させることを特徴とする。
【００６７】
すなわち、請求項２５にかかる発明は、療事の時間または頻度の粗密（看護師の忙しさ）もあわせて簡便に把握可能に表現する。
【００６８】
また、請求項２６に記載のスケジュール表示プログラムは、請求項２３、２４または２５に記載のスケジュール表示プログラムにおいて、コンピュータを、更に、看護師毎のパイチャートを並べて表示する並列表示制御手段として機能させることを特徴とする。
【００６９】
すなわち、請求項２６にかかる発明は、看護師長その他の病棟責任者が、全体的な業務（療事）の分布割合と共に、個々の看護師のスケジュールも相互に対比可能に表現する。これにより、スキルに応じた看護師の割り振りや均等な仕事の割り振りが可能となり看護師全体で見た場合の無駄な時間をなくすことができる。
【００７０】
また、請求項２７に記載のスケジュール表示プログラムは、患者の識別情報と、当該患者に施す看護業務ないし医療行為である療事の表題情報と、当該療事を施す時間情報と、を互いに対応づけて記憶させたデータベースを備えるコンピュータを、前記データベースに記憶された情報に基づいて、所定の一定時間間隔中に存在する療事の所要時間または療事の出現回数を療事毎に合計する療事合計手段、前記療事合計手段により合計された所要時間または出現回数を分布割合としたパイチャートを作成するパイチャート作成手段、および、前記パイチャート作成手段により作成されたパイチャートを、線形な時間軸上において前記時間間隔毎に表示する表示手段、として機能させることを特徴とする。
【００７１】
すなわち、請求項２７にかかる発明は、ある患者に対して特定の療事の頻度ないし時間が突出しているかいないかを判定可能に表現する。従って、医療ミス防止に資するスケジュール表示プログラムを提供可能となる。
【００７２】
また、請求項２８に記載のスケジュール表示プログラムは、請求項２７に記載のスケジュール表示プログラムにおいて、コンピュータを、更に、前記患者の識別情報、療事の表題情報、および、療事を施す時間情報を入力する情報入力手段、および、前記情報入力手段により入力された情報を互いに対応づけて前記データベースに記憶する情報記憶手段、として機能させることを特徴とする。
【００７３】
すなわち、請求項２８にかかる発明によれば、利便性の高いスケジュール表示プログラムを提供可能となる。
【００７４】
また、請求項２９に記載のスケジュール表示プログラムは、請求項２７または２８に記載のスケジュール表示プログラムにおいて、コンピュータを、更に、前記パイチャート作成手段を制御して、個々のパイチャート中の所要時間の総和または出現回数の総和に応じてパイチャートの直径または厚みを変更する容積変更制御手段として機能させることを特徴とする。
【００７５】
すなわち、請求項２８にかかる発明は、療事の時間または頻度の粗密（患者への負担の大きさ）もあわせて簡便に把握可能に表現する。
【００７６】
また、請求項３０に記載のスケジュール表示プログラムは、請求項２７、２８または２９に記載のスケジュール表示プログラムにおいて、コンピュータを、更に、患者毎のパイチャートを並べて表示する並列表示制御手段として機能させることを特徴とする。
【００７７】
すなわち、請求項３０にかかる発明は、同じ病気で入院した患者同士を比較して、同様のパイチャートパターンが得られているかを把握して、医療ミス防止の多面的チェックが可能となるように表現する。
【発明の効果】
【００７８】
以上説明したように、本発明によれば、患者と看護師と療事内容と療事を施す時間との一体的な把握を容易とするスケジュール表示装置およびスケジュール表示プログラムを提供可能となる。
【００７９】
また、療事の時系列を連続的ないし直感的に認識可能なスケジュール表示装置およびスケジュール表示プログラムを提供可能となる。
【００８０】
また、スケジュールの競合を防止可能なスケジュール表示装置およびスケジュール表示プログラムを提供可能となる。
【００８１】
また、業務の効率化を図ることが可能なスケジュール表示装置およびスケジュール表示プログラムを提供可能となる。
【００８２】
また、患者への負担の大きさも簡便にはあく可能なスケジュール表示装置およびスケジュール表示プログラムを提供可能となる。
【発明を実施するための最良の形態】
【００８３】
以下、本発明の実施の形態を図面を参照しながら詳細に説明する。
本実施の形態では、本発明のスケジュール表示プログラムをコンピュータにインストールし、コンピュータの表示画面を介して情報の授受ないし表示をおこなうスケジュール表示装置について説明する。ここでは、まず、装置の外観を簡単に説明し、ついで、ハードウェア構成、機能的構成などについて順次説明していく。
【００８４】
（スケジュール表示装置の外観構成）
図１は、スケジュール表示装置の外観構成の一例を示した図である。図示したように、スケジュール表示装置１００は、いわゆるコンピュータと同様な構成を採用し、各種の情報を入力するキーボード１０１およびマウス１０２と、入力された情報を基に、スケジュールの作成その他の処理をおこなう本体部１０３と、スケジュールなどを表示するモニタ１０４と、モニタ１０４の枠部に設けられたスピーカ１０５と、を有する。なお、図示した例は、デスクトップタイプコンピュータであるが、これに限ることなく、ノートブックタイプコンピュータであってもよい。
【００８５】
（スケジュール表示装置のハードウェア構成）  
図２−１は、スケジュール表示装置１００のハードウェア構成の一例を示した説明図である。スケジュール表示装置１００は、そのハードウェア構成として、ＣＰＵ２０１と、ＲＯＭ２０２と、ＲＡＭ２０３と、ハードディスク（ＨＤ）２０４と、グラフィックスカード２０５と、モニタ２０６と、キーボード（Ｋ／Ｂ）２０７と、マウス（ＭＯＵＳＥ）２０８と、ネットワークインターフェースカード（ＮＩＣ）２０９と、サウンドカード２１０と、スピーカ２１１と、を有する。なお説明の便宜上、キーボード１０１、マウス１０２、モニタ１０４、およびスピーカ１０５を図２ではそれぞれキーボード２０７、マウス２０８、モニタ２０６、スピーカ２１１と表記している。
【００８６】
ＣＰＵ２０１は、ＯＳと共にスケジュール表示装置１００全体を制御し、また、スケジュールの作成処理や表示処理、更には、予定の競合警告など各種のプログラムの処理制御をおこなう。具体的には、例えば、ＣＰＵ２０１は、ハードディスク２０４に格納されているプログラムにしたがって、患者と看護師と療事内容と療事を施す時間（開始時間、終了時間）とを対応づけ、後述する識別子を割り当てて帯状のスケジュール表を可視化する。この他ＣＰＵ２０１は、ハードディスク２０４に格納されている作業データをＲＡＭ２０３に一時保存する制御等もおこなう。  
【００８７】
ＲＯＭ２０２は、ブートプログラム等を記憶する。使用の態様によっては、ＲＯＭ２０２は、スケジュール表示装置１００の制御プログラムを格納しておいてもよい。ＲＡＭ２０３は、ＣＰＵ２０１のワークエリアとして使用する。具体的には、ハードディスク２０４から読み出されたデータベースの内容やプログラム内容などを一時的に格納する。また、後述する帯状のスケジュールとなるべきデータ群を一時的に格納する処理もおこなう。
【００８８】
ハードディスク２０４は、オペレーティング装置（ＯＳ）、アプリケーションプログラム、各種のデータを記憶する。ハードディスクの構成については後述する。  
【００８９】
グラフィックスカード２０５は、モニタ２０６へ出力すべき画像信号を送出する。グラフィックスカード２０５は、出力すべき画像信号を格納するＶＲＡＭと、処理された画像信号をモニタ２０６へ出力する画像出力インターフェース（画像出力Ｉ／Ｆ）を備える。画像出力Ｉ／Ｆは、ＶＲＡＭに展開されたＲＧＢ画像データをモニタ２０６へ出力する。  
【００９０】
この他、スケジュール表示装置１００は、コンピュータをネットワークへ接続するＮＩＣ２０９を有する。また、フレキシブルディスクドライブ装置、ＣＤ−ＲＯＭドライブ装置、ＭＯドライブ装置等を搭載することも可能である。  
【００９１】
図２−２は、ハードディスクの機能的構成例を示した説明図である。ハードディスク２０４は、アプリケーション部２２０とデータベース部（ＤＢ部）２３０とにより構成される。アプリケーション部２２０は、スケジュール表示装置１００全体を制御するＯＳ２２１と、各種の情報の入力補助をつかさどったり対応関係を保持したりしてＤＢ部２３０を構築するＤＢ構築プログラム２２２と、要求に応じて必要なデータをＤＢ部２３０から抽出してスケジュールを構築するスケジュール構築プログラム２２３と、構築されたもしくは構築されるべきスケジュールを、要求に応じて二次加工し、直感的な把握が可能となるように表示をおこなうスケジュール加工プログラム２２４と、ＤＢ部２３０の格納情報そのもの、すなわち、患者や看護師のＩＤ、療事の表題や時間などを管理するＤＢ管理プログラム２２５と、これらの実データに代えて高速な演算処理を実現するためのテーブル（対応テーブル）を管理するテーブル管理プログラム２２６と、を有する。
【００９２】
なお、以上のアプリケーション部２２０は、スケジュール表示装置１００が果たす各種の情報の入力と、ＤＢ部２３０を介した情報の抽出、加工、および表示という観点から集約されたプログラム集合を説明したに過ぎず、実際のプログラムは多数のコンポーネントやＤＬＬなどにより構成される。後述する機能的構成は、これらのプログラムが単体もしくは複数で、場合によってはＤＢ部２３０と協働して各種実現されるものである。  
【００９３】
次に、ＤＢ部２３０について説明する。ＤＢ部２３０は、看護師の氏名や所属などを格納する看護師情報格納部２３１と、患者の氏名や性別、年齢、既往歴、入院日数、これまでの療事内容などを格納する患者情報格納部２３２と、療事の表題をはじめ、療事の詳細内容など（点滴であればその種類、中身、繰り出し量など）を格納する療事情報格納部２３３と、療事の開始時間および終了時間もしくは療事の開始時間と所要時間などを格納する時間情報格納部２３４と、これらの情報のうち、少なくとも、看護師のＩＤ、患者のＩＤ、療事のタイトル、療事を施す時間と、を対応づけたテーブルである対応テーブルＴを格納するテーブル格納部２３５と、を有する。
【００９４】
対応テーブルＴを介在させることにより、入力された情報そのものを加工・編集する必要がなく処理速度を向上させることができる。対応テーブルＴは、例えば、管理番号その他ポインタ情報やアドレス情報によっても構築ないし管理することができる。対応テーブルＴの構成については、後に例示する。
【００９５】
（スケジュール表示装置の機能的構成）  
次に、スケジュール表示装置１００の機能的構成について説明する。図３は、スケジュール表示装置１００の機能的構成例を示した説明図である。図示したように、スケジュール表示装置１００は、情報入力部３０１と、情報記憶部３０２と、看護師指定部３０３と、割当部３０４と、スケジュール作成部３０５と、表示部３０６と、表示形態指定部３０７と、表示長変更部３０８と、並列表示制御部３０９と、重複判定部３１０と、警告部３１１と、療事合計部３１２と、パイチャート作成部３１３と、容積変更制御部３１４と、を備える。  
【００９６】
情報入力部３０１は、患者の識別情報と、その患者に施す療事の表題情報と、その療事を施す時間情報と、その療事を施す看護師の識別情報と、を入力する。これらの情報は、例えば、主治医や主治医から命ぜられた看護師長が装置を介して入力する。図４は、入力画面の構成例を示した図である。入力画面４０１は、操作者の氏名を表示する操作者表示部４０２と、患者名をプルダウンメニューにより指定する患者名指定部４０３と、療事内容をプルダウンメニューにより指定する療事内容指定部４０４と、プルダウンメニューにない療事を具体的に入力する療事内容入力部４０５と、療事の開始時刻をプルダウンメニューにより指定する開始時刻指定部４０６と、療事の終了時刻をプルダウンメニューにより指定する終了時刻指定部４０７と、看護師名をプルダウンメニューにより指定する看護師名指定部４０８と、これら指定された情報をＤＢ部２３０へ送信する送信ボタン４０９と、により構成される。
【００９７】
図に示したように、療事内容指定部４０４では、プルダウンメニューが更に展開でき、この例では、注射αの量が指定できるようになっている。但し、汎用的でない療事内容については、別途療事内容入力部４０５で入力することとし、最終的なメニュー決定まで冗長なポインタ移動を生じさせないようアクセス性を確保している。終了時刻指定部４０７は、点滴のように長時間にわたる療事に関して入力するボックスである。このとき、例えば、療事内容指定部４０４で点滴の種類と量とを指定したときに自動的に終了時刻が算出されるようにしてもよい。これにより、点滴総量だけでなく、療事を施す時間の両方によるダブルチェックが可能となり、適量であるか否かのより直感的な把握が可能となる。反対に、例えば、採血のようにほとんど時間がかからない場合には、選択不必要であるように初めからグレー表示する態様であってもよい。
【００９８】
情報入力部３０１は、例えば、キーボード２０７、マウス２０８、ＯＳ２２０、ＤＢ構築プログラム２２２などによりその機能を実現することができる。なお、図４では、患者の名前、療事内容、療事を施す時間、看護師名だけを入力したが、それ以外の情報、例えば、患者の性別、既往歴などもあわせて入力するようにしてもよい。
【００９９】
情報記憶部３０２は、情報入力部３０１で入力された情報を、対応関係を保持してＤＢ２３０へ記憶する。具体的には、看護師の氏名を看護師情報格納部２３１に記憶させ、患者の氏名を患者情報格納部２３２に記憶させ、患者に施す療事の表題を療事情報格納部２３３に記憶させ、療事を施すべき時間についての情報を時間情報格納部２３４に記憶させる。
【０１００】
また、対応関係は入力されたデータそのものとしてではなく、情報の加工・編集や入出力などを高速に処理するため、対応テーブルＴに管理番号を割り振り、この管理番号と情報入力部３０１から入力した各種情報を対応づけて、看護師情報格納部２３１、患者情報格納部２３２、療事情報格納部２３３、および、時間情報格納部２３４へ、それぞれ格納する。
【０１０１】
図５は、対応テーブルＴと各格納部における格納関係を概念的に説明するための対応例を示した説明図である。このうち、図５−１は、情報記憶部３０２により対応づけられた対応テーブルＴの構成例を示した図である。図示したように、管理番号によって、各入力情報が一意に対応づけられている。また、図５−２は、看護師と管理番号との対応関係を、図５−３は、患者と管理番号との対応関係を、図５−４は、療事の表題と管理番号との対応関係を、図５−５は、時間と管理番号との対応関係を示している。従って、各情報と管理番号とが対応しているので、例えば、時刻を中心として療事の開始時間をソートしたりすることが容易かつ高速にできることとなる。なお、ここでは説明の便宜上、時間情報については開始情報のみ表した。
【０１０２】
情報記憶部３０２は、例えば、ＤＢ構築プログラム２２２と、テーブル管理プログラム２２６と、ＤＢ管理プログラム２２５と、ＤＢ部２３０などによりその機能を実現することができる。なお、情報入力部３０１と情報記憶部３０２によりＤＢ部２３０が構築され、後段で必要なスケジュールの編集および表示が可能となる。
【０１０３】
続いて、ＤＢ部２３０に格納された情報に基づいて、スケジュールを表示させる機能部群について説明する。
【０１０４】
看護師指定部３０３は、スケジュールを表示させたい看護師名を入力する。入力の態様は特に限定されないが、例えば、図４に示したように、画面上のプルダウンメニューにより表示させ指定するようにしてもよい。また、看護師が自分のＩＤとパスワードを入力して、スケジュール表示装置１００にログインする方式が採用されている場合には、このログインセッションにより看護師が特定されるので、その情報をもちいてもよい。看護師指定部３０３は、例えば、キーボード２０７と、マウス２０８と、ＯＳ２２１などによりその機能を実現することができる。
【０１０５】
割当部３０４は、一つの識別子によって患者と療事の表題の二つの情報を表現するように、患者を形状によって、療事の表題を色によって表現する。例えば、丸が患者甲を、青色が注射αを意味するとすると、青色の丸は、患者甲に対し注射αをおこなうことを意味する。なお、色は単色でなく、複数色の組合せであってもよいものとする。これにより、多数の療事もしくは詳細な療事の対応づけが可能となる。例えば、形状の輪郭線を第一色、輪郭内側を第二色と配色すれば、例えば、８色（黒、白、赤、青、水、橙、黄、緑）の基本色をもちいて、６４通りの療事の表現が可能となる。
【０１０６】
また、ミスの発生確率を低減するために、療事の性質により寒色系と暖色系を使い分けてもよい。例えば、採血や注射など時間のかからない療事は寒色系により表現し、点滴や手術のように時間のかかるものは暖色により表現するという方法をあげることができる。割当部３０４は、例えば、スケジュール構築プログラム２２３と、テーブル管理プログラム２２６と、テーブル格納部２３５と、ＲＡＭ２０３などによりその機能を実現することができる。
【０１０７】
スケジュール作成部３０５は、看護師指定部３０３により指定された看護師のスケジュールであって、割当部３０４により割り当てられた識別子をもちいて、情報記憶部３０２により当該看護師に対応づけられている療事を線形な時間軸上に配列したところのスケジュールを作成する。概念的に表現すると、スケジュールとは、帯状に形成され、帯の長手方向が時間の進行方向を意味し、時間間隔とスケジュールの目盛り間隔とが正比例したものである。そして、スケジュール作成部３０５は、看護師それぞれに対応させて用意してある帯状のスケジュール帯に対し、患者と療事の表題とを同時に表現した識別子を、対応する時間目盛り上に配置する作業をおこなう。後述するように、このスケジュールをそのまま表示したり、別の軸上に巻き付けて表示することにより、直感的なスケジュール把握が可能となる。
【０１０８】
スケジュール作成部３０５は、例えば、スケジュール構築プログラム２２３と、テーブル管理プログラム２２６と、ＤＢ管理プログラムと、ＤＢ部２３０と、ＲＡＭ２０３等によりその機能を実現することができる。
【０１０９】
表示部３０６は、スケジュール作成部３０５により作成されたスケジュールを表示する。また、表示形態指定部３０７は、スケジュールを、ベルト表示、平面スパイラル表示、立体スパイラル表示、絞込立体スパイラル表示、パイチャート表示のいずれとするかを指定する。
【０１１０】
図６は、ベルト表示の例を、図７は、立体スパイラル表示の例を、図８は、平面スパイラル表示の例を、図９は、絞込立体スパイラル表示の例それぞれ示している。なお、パイチャート表示の例については後述する。図６〜図９は、ある看護師のスケジュールであって、その看護師の抱える総ての患者の療事について、観点を変えて表示した例である。
【０１１１】
このうち、図６に示したように、ベルト表示とは、時間の長さが長手方向の長さに正比例する帯へ識別子を配列したスケジュールの表示態様をいう。換言すれば、ベルト表示とは、スケジュール作成部３０５により作成され、何ら変更をしていない、いわば「素」のスケジュールということができる。なお、時間間隔が狭い場合には、複数の識別子が重なってしまうので、視認性をよくするために帯の巾方向に識別子を展開表示してもよい。図では、後の説明のため、便宜的に時間軸を併記している。
【０１１２】
図７に示したように、立体スパイラル表示とは、図６に示したベルト表示を、直線の第二の軸を中心として等径等ピッチで螺旋状に巻き付けて表示したものをいう。図には、第一の線形時間軸に加え第二の軸も概念的に表記してある。等径等ピッチで巻き付けるので、帯の一周が常に一定時間間隔を刻むこととなる。なお、ベルト表示の一周が１時間となるように標準表示させれば、時間の把握がより容易となる。なお、この一周の時間間隔も変更可能であるものとする。
【０１１３】
この立体スパイラル表示によれば、次の一周（次の１時間）になすべきことが視覚的に直感的に把握可能となる。また、実質的に第一の時間軸が引き延ばされるので、各識別子の視認性が向上し、ベルト表示のように巾方向への展開が少なくて済むという利点を有する。なお、奧のスパイラル部分に描画される識別子が手前のスパイラル部分に隠れてしまわないように、適宜半透明表示を採用するなどしてもよい。
【０１１４】
図８に示したように、平面スパイラル表示とは、図７に示した立体スパイラル表示を、第二の軸から眺め、遠近法により表示したものである。この表示の利点は、立体スパイラル表示と同様に周期性があるので、例えば、スパイラルの一周を１時間とすれば、今後１時間以内に施すべき療事を時計の長針の位置に見立てて簡便に把握できる点にある。また、次の１時間、その次の１時間、その後の療事タイミングも感覚的に理解できる。例えば、３周後に沢山の識別子が表示されている場合には、３時間後に忙しくなることが事前に直感的に把握できる。また、遠近法により表示しているので、直近の療事ほど認識し易くなっている。なお、療事が長時間にわたるものは、その識別子を引き延ばして描画し、例えば、１／４周占めている場合には、１５分間必要な療事であることを認識させるようにしてもよい。
【０１１５】
図９に示したように、絞込立体スパイラル表示とは、図７に示した立体スパイラル表示を更に加工したものであって、複数の患者の中の特定の患者または複数の療事の中の特定の療事のいずれかが指定された場合に、当該患者または療事が一直線上にならぶように、スケジュールの配列を、直線の第二の軸を中心として螺旋状に巻き付けて表示したものである。この表示方法によれば、着目する療事と療事との間の時間間隔が長い場合には螺旋の径が大きくなり、療事と療事との間の時間間隔が短い場合には螺旋の径が狭くなる。従って、図示したように、径の大小により、療事のタイミングをパタンとしてより直感的把握可能となる。
【０１１６】
看護師は、複数の患者に対して複数の療事を施すので、時には、特定の患者毎にスケジュールを把握する必要があり、また、療事自体のタイミングを把握する必要もある。例えば、看護師が出勤したときに、当日の患者毎のスケジュールの螺旋を把握し、続いて、療事毎のスケジュールの螺旋を把握すれば、結果として、視覚的かつ直感的に螺旋が把握可能となり、集中力を高めて療事にあたることが可能となる。
【０１１７】
なお、表示形態指定部３０７による表示の指定は、例えば、画面上に適宜表示形態を指定するプルダウンメニューを用意しておこなうことができる。特に、絞込立体スパイラル表示に関しては、複数の患者の中の特定の患者または複数の療事の中の特定の療事のいずれかを指定することによっておこなう。
【０１１８】
表示部３０６は、例えば、モニタ２０６と、グラフィックスカード２０５と、ＲＡＭ２０３と、スケジュール加工プログラム２２４などによりその機能を実現することができる。また、表示形態指定部３０７は、例えば、マウス２０８と、スケジュール加工プログラム２２４と、ＲＡＭ２０３と、モニタ２０６などによりその機能を実現することができる。
【０１１９】
表示長変更部３０８は、時間軸の単位時間当たりのモニタ２０６上における表示長さを変更する。単位時間当たりの表示長さを長くすれば、識別子と識別子との間隔があくことになり、反対に、単位時間当たりの表示長さを短くすれば、表示がされていなかった過去や未来の事象（療事）にかかる識別子も表示されることとなる。すなわち、表示長変更部３０８は、いわば、縮尺変更部であり、遠目にスケジュール表を見て、全体的ないし大局的なスケジュール把握も可能にし、反対に、近づいてみて、短期的なスケジュール把握も可能にするといえる。
【０１２０】
また、平面スパイラル表示や立体スパイラル表示の場合は、第一の線形時間軸（すなわちベルト表示自体）の長さを長くすると、一周の経過時間が変更されることとなる。換言すれば、表示長を変更するとは周期を調整することにもなる。
【０１２１】
この他、表示長変更部３０８によりもしくは他の機能部を設けて、ＶＲＭＬ技術のように、近づいたりひねったりするような、視点を３時限的に移動または変更するようにしてもよい。なお、近づいてみているのか遠目で見ているのかということ自体を認識しやすくするため、ベルトの巾も表示長さの大小によって調整してもよい。表示長変更部３０８は、例えば、スケジュール加工プログラム２２４と、ＲＡＭ２０３などによりその機能を実現することができる。
【０１２２】
並列表示制御部３０９は、個々のスケジュールと全体のスケジュールとを並べて表示する。図１０は、ある看護師のその日の全体のベルト表示のスケジュールを左に、その看護師がその日に担当する患者毎のベルト表示を右側に表した図である。図１１は、ある看護師のその日の全体の平面スパイラル表示のスケジュールを左に、その看護師がその日に担当する患者毎の平面スパイラル表示を右側に表した図である。図１２は、ある看護師のその日の全体の立体スパイラル表示のスケジュールを左に、その看護師がその日に担当する患者毎の立体スパイラル表示を右側に表した図である。図１３は、ある看護師のその日の全体の立体スパイラル表示のスケジュールを左に、その看護師がその日に担当する患者毎の絞込立体スパイラル表示を右側に表した図である。図１４は、ある看護師のその日の全体の立体スパイラル表示のスケジュールを左に、その看護師がその日に担当する療事毎の絞込立体スパイラル表示を右側に表した図である。図示したように、多面的な表示により、スケジュールを視覚的かつ直感的に把握可能となる。
【０１２３】
また、表示形態を複数織り交ぜたスケジュールとしてもよい。例えば、全体のスケジュールを平面スパイラル表示とし、個々のスケジュールを絞込立体スパイラル表示とすれば、直近の療事を平面スパイラル表示により認識しつつ、個々の絞込立体スパイラル表示を見渡して、全体的なスケジュールも感覚的に把握可能となる。なお、任意の複数人のスケジュールを表示可能であり、表示人数も調整できるものとする。並列表示制御部３０９は、例えば、スケジュール加工プログラム２２４と、テーブル格納部２３５と、ＣＰＵ２０１と、ＲＡＭ２０３などによりその機能を実現することができる。
【０１２４】
なお、図１０に示したベルト表示は、第一の時間軸のみをもちいるだけで、第二の軸に巻き付けないので、いわば時間間隔が狭く、識別子が同じような時間帯に多数描画されてしまい視認性が悪くなる場合がある。従って、ベルト表示に水平線を表示したりスポットライトをあてたような描画方法を採用して、どの時刻かを認識できるようにすればスケジュールの把握が容易となる。図１５は、図１０に示した並列的なベルト表示に水平線（同一時刻を表示する線）を表示させた例である。また、図１６は、図１０に示した並列的なベルト表示にスポットライトをあてた表示例である。図１５に表示した例では、微妙な時間の前後の把握が容易となる。また、図１６に示した例では、注目している時刻前後のスケジュールの視認性が高くなる。
【０１２５】
重複判定部３１０は、情報入力部３０１により新たに入力された情報のうちの看護師のＩＤおよび療事を施す時間情報、並びに、ＤＢ部２３０に既に記憶されている情報のうちの看護師のＩＤおよび療事を施す時間情報に基づいて、その看護師のスケジュールに重複があるかないかを判定する。また、警告部３１１は、重複判定部３１０により重複があると判定された場合に、その旨の警告をおこなう。
【０１２６】
これにより、主治医または看護師長などが、その看護師に仕事を割り振る場合に、予定が重なっていないかどうかを判定可能となる。なお、主治医または看護師長の決定が優先されるので、その都度その都度、既に組まれている予定が優先されるべきか、これから繰り入れようとしている療事が優先されるべきかが決定される。従って、警告部３１１により警告が発せられた場合には、状況に応じて、既に組まれている予定の時刻をずらしたり、他の看護師に頼んだり（実際にはその看護師のその療事予定を削除して、新たに別の看護師に割り振る）して、最適な療事を割り振ることが可能となる。
【０１２７】
なお、警告の態様は、音声、画像の点滅、モニタ２０６上でのポップアップ表示等、注意を喚起する態様であれば限定はなく種々採用できる。また、予定を他の看護師に割り振る場合には、例えば、並列表示制御部３０９により、他の看護師の予定を複数並列的に表示し、ドラッグ＆ドロップで予定を移動できるようにしてもよい。このようにすれば、移動先で再び警告表示がなされた場合でも、予定編成作業を容易におこなうことができ、競合の解決に資することが可能となる。
【０１２８】
重複判定部３１０は、例えば、ＯＳ２２１と、テーブル管理プログラム２２６と、ＤＢ管理プログラム２２５と、ＤＢ２３０と、ＲＡＭ２０３などによりその機能を実現することができる。また、警告部３１１は、スケジュール構築プログラム２２３と、スピーカ２１１と、サウンドカード２１０と、ＯＳ２２１等によりその機能を実現することができる。
【０１２９】
次に、パイチャートによるスケジュール表示について説明する。これまでのスケジュール表示は、総て、時間の連続性を維持した表示であり（ベルト表示）、場合によっては周期的表現も採用したものであった（平面スパイラル表示または立体スパイラル表示）。ここでは、パイチャートによって時間間隔毎の総和としてスケジュールを把握する機能部について説明する。これにより、細部を気にしない大局的な把握が可能となる。
【０１３０】
まず、「どの患者に対する」という情報をあえて考慮せず、看護師が抱える療事という観点のみを見たパイチャートについて説明する。療事合計部３１２は、ＤＢ部２３０により記憶された情報に基づいて、所定の一定時間間隔中（例えば一日または一週間）に存在する療事の所要時間または療事の出現回数を療事毎に合計する。また、パイチャート作成部３１３は、療事合計部３１２により合計された所要時間または出現回数を分布割合（％）として、当該所要時間または出現回数を要する療事を、色分けしたパイチャートとして作成する。すなわち、この二つの機能部により、ある時間間隔中に、どのような療事にどれだけ時間が割かれたか、または、どれだけの療事頻度があったかを把握できる。
【０１３１】
並列表示制御部３０９は、看護師全体として一つのパイチャートを表示すると共に、看護師毎の療事をこれと対比可能に並べて表示する。図１７は、パイチャートの並列表示例を示した図である。図示したように、所定の時間間隔毎にパイチャートが表示されると共に、看護師毎の療事回数の比較が可能となっている。例えば、看護師長が、看護師Ａと看護師Ｂを見比べた場合、同じような仕事の割り振りをしていると思っていても、看護師Ａの注射の頻度が高いということが容易に把握可能となる。従って、忙しいあまり、ミスが生じてしまう可能性を看護師長が認識可能となり、適切な采配が可能となる。換言すると、パイチャート表示によれば、看護師長その他の責任者が、看護師の療事パタンの相関性を認識でき、仕事の采配や、あき時間の認識など、効率的な病院運営に資することが可能となる。
【０１３２】
この例は、前述の通り、「どの患者に対する」という情報をあえて考慮せず、看護師が抱える療事という観点のみを見たパイチャートである。従って、使用する情報は、患者に施す療事の表題情報と、その療事を施す時間情報と、その療事を施す看護師の識別情報である。一方、患者の識別情報と、その患者に施す療事の表題情報と、その療事を施す時間情報とをもちいて、「どの看護師が施す」という情報をあえて考慮せず、患者が施される療事という観点のみを見たパイチャートも構築可能である。このようなパイチャートを見ることにより、点滴の頻度が高く患者の負担が大きいといったことが把握可能となる。また、同じ病気で同時期に入院した複数の患者を対比して、同じような療事が施されているかの大局的な対比も可能となる。
【０１３３】
なお、容積変更制御部３１４は、パイチャート作成部３１３を制御して、個々のパイチャート中の療事を施す時間または療事回数の総和に応じてパイチャートの直径または厚みを変更する。これにより、看護師に関するパイチャート表示であって、ボリュームのあるパイチャートである場合には、それだけ看護師が忙しいまたは忙しくなることを意味し、仕事のメリハリをより感覚的に認識しやすくなる。同様に、患者に関するパイチャート表示であって、ボリュームのあるパイチャートである場合には、それだけ患者の負担が大きいまたは大きくなることを意味し、負担の分散の検討など、患者本位の療事を提供するための参考資料とすることができる。
【０１３４】
パイチャート表示により、以下のように、効率的な病院運営も可能となる。例えば、看護記録の作成も療事の表題としてスケジュールの表示項目に設定するとする。看護師長が、ある看護師のパイチャートをみて、他の看護師より看護記録に割く時間が特に長かったことを確認した場合、その看護師長がその看護師へ指導および助言をおこなって作業の効率化を図らせ、浮いた時間を患者に接するために割り振ることができたとする。そうした結果、患者とのコミュニケーションの高まりにより、互いの信頼感が向上し、例えば、看護の不足に伴う患者の不安の高まりから生じる不必要な看護師呼び出しなども少なくなる。これはひいては、不必要な対応に割かれる看護師負担を軽減し、あわせて看護サービスの改善に貢献する好循環を生むこととなる。このように、本発明によれば、良い意味での業務内容改善の連鎖が起こり、病院全体での看護サービスの向上が実現される。
【０１３５】
療事合計部３１２は、例えば、ＤＢ管理プログラム２２５と、ＤＢ部２３０と、ＯＳ２２１と、ＲＡＭ２０３と、スケジュール構築プログラム２２３などによりその機能を実現することができる。また、パイチャート作成部３１３は、スケジュール構築プログラム２２３とスケジュール加工プログラム２２４とＲＡＭ２０３などによりその機能を実現することができる。また、容積変更制御部３１４は、スケジュール加工プログラム２２４とＲＡＭ２０３などによりその機能を実現することができる。
【０１３６】
なお、以上説明した例では、療事のスケジュールを中心に説明したが、使用の態様によっては、療事以外の予定、例えばカンファレンスなど、勤務中、看護師の時間が割かれる業務予定も組み込めるようにしてもよい。
【０１３７】
また、以上の例では、図１のように単独のコンピュータにシステムが構築される態様について説明したが、これに限定することなく、例えば、クライアントサーバシステムのように、ＤＢ部の構築と、スケジュール構築・加工と、を主におこなうサーバ装置と、情報の入力、出力（表示）を主におこなう複数のクライアント装置とによるシステムであることを妨げない。このように分散化することにより、例えば、大病院で、各病棟を行き来する看護師の労力軽減や患者のケアに資することが可能となる。
【０１３８】
次に、より具体的なシナリオ（使用例）をもちいてスケジュール表示装置を説明する。
（使用例１）
患者甲、患者乙、・・・、患者丙、を受け持っている看護師Ａは、夜勤の看護師Ｂから引継ぎを済ませ、本日の予定をベルト形式にしたがって確認した。一方、先日の検査結果より患者丁の病状が思いの他悪いことを知った担当医師Ｈ１から、急遽、同患者に検査並びに点滴の療事をおこなうように指示が出された。看護師Ａはこの指示に対応すべくスケジュール表示装置１００に入力したところ、他にも同時間帯に対応すべき業務があることが判明した。また、点滴終了時には他の患者の検査に忙殺されていることが予想された。看護師Ａは、この事情を担当医師Ｈ１に報告した。
【０１３９】
担当医師Ｈ１は、患者丁は初めての入院で少々神経質になっており、突然の検査を見知らぬ看護師が対応することによって生じるストレスを抑えるためにも、入院時から世話を続けてきた看護師Ａが対応すべきと判断した。そこで担当医師Ｈ１は他の看護師の本日の業務予定をベルト表示で確認したところ、看護師Ｃがちょうど業務負担的に余裕があることが分かったので、本来看護師Ａが担当する予定であった業務を看護師Ｃへ移管することとした。看護師長は医師Ｈ１の指示を受け、モニタ２０６上でベルト表示の所定領域（所定療事）を選択→ドラッグ＆ドロップしてスケジュールを変更し、また看護師Ｃへも連絡した。なお、この業務移管の様子を概念的に図１８に例示した。
【０１４０】
このようにすれば、口頭あるいは電話での依頼では、依頼する側、依頼される側双方にうっかり忘れも生じる危険性があるところ、スケジュール表示装置１００経由で変更登録が可能であるので、確実性が向上する。万が一にも適切に療事が行なわれなかった場合には責任の所在も明らかになる。なお、そのような実施漏れが発生しないためにも、予定時刻を過ぎても療事完了の確認がなされていない業務については、対応する識別子が点滅するなど、視覚的に注意を促すようにしてもよい。また、ログをとるようにすれば、必要な業務を「実施したか、実施しなかったか」という結果のみならず、業務（変更）の指示がだれからいつ出されたかということまで管理可能となり、トラブルが発生したときの検証が容易になり、今後の発生ミス防止に役立てることも可能となる。
【０１４１】
（使用例２）
とある病院では、クリニカルパスの導入を決定した。クリニカルパスとは、個々の病気毎に標準的な治療内容やスケジュールを規定するものである。これにより、入院費を予め算定可能となるもので、入院費用の増加に歯止めをかけるものとして期待されている。他方、その範囲に収まらない治療は各病院の負担となるため、病院経営者側からは医療・看護の管理を徹底する必要がある。従ってこの病院ではスケジュール表示装置１００を導入することとした。
【０１４２】
ある日、患者甲が白内障手術のため入院することになった。看護師長は担当看護師の割り振りを決めるにあたって、スケジュール表示装置１００を介して、看護師Ａの現在の予定業務の上に、白内障手術にかかる標準的業務内容（療事群）を追加してみた。その結果、他の患者の看護業務と重なること警告された。従って、そのまま看護師Ａに担当を任せたのでは忙しさからミスを誘発するおそれがあると判断した。そこで標準では８時３０分から開始することになっている最初の治療を３０分遅らせ、９時から実施するようにして再度、看護師Ａのスケジュールを確認した。今度は警告が出ず、無理のない範囲に業務が分散されることが分かったので、看護師長はそのスケジュールで患者甲の担当を看護師Ａに任せることにした。
【０１４３】
（使用例３）
看護部長は先日、看護師長から、ある看護師が多忙を極めているという現状の報告を受けた。どこに原因があるのかを見極めることが重要と判断した師長は、スケジュール表示装置１００によって、ここ１年間の月別のその看護師の業務内容をパイチャートで可視化してみた。すると保清に割かれた時間が多くなっていることに気がついた。これが時間的に他の看護業務を圧迫しており、このままでは入院患者へのトータル的な意味でのサービスの質が低下することを懸念した看護師長は新たな看護師の増員を決めた。
【０１４４】
（使用例４）
また、看護師長は過去の看護実績データを基にスケジュール表示装置１００をもちいて、標準看護業務を算定し、勤務時間全体の中での個々の業務内容の割合をパイチャート表示した。この結果と、各看護師が実際に実施した業務内容と比較してみた。すると看護師Ａは説明・指導に多くの時間がとられていることが分かった。療事件数自体は他の看護師と比べてさほど多くないため、１件あたりの所要時間が長いことが分かった。看護師Ａに事情の説明を求めたところ、入院時の説明毎に患者とのトラブルが発生していることが分かった。従って看護師Ａは、看護師長とも相談の上、問題の解決に取り組むこととした。しばらくして、他の看護師と同等の時間でスムーズに説明・指導することができるようになり、病院の業務改善につながった。
【産業上の利用可能性】
【０１４５】
なお、本発明はスケジュール管理全般に適用可能であり、特に、始期と終期が不確定ではあるが定期的な事象と、不定期な単発事象とが混在し、そのスケジュールをこなす者が複数の者に管理されるもしくはそのスケジュールをこなす者が複数の者を相手にするような場合に特に有効である。例えば、食品製造工場の品質管理部門にも適用可能である。
【図面の簡単な説明】
【０１４６】
【図１】スケジュール表示装置の外観構成の一例を示した図である。
【図２−１】スケジュール表示装置のハードウェア構成の一例を示した説明図である。
【図２−２】ハードディスクの機能的構成例を示した説明図である。
【図３】スケジュール表示装置の機能的構成例を示した説明図である。
【図４】スケジュール表示装置の入力画面の構成例である。
【図５−１】情報記憶部により対応づけられた対応テーブルＴの構成例を示した図である。
【図５−２】看護師と管理番号との対応関係を示した図である。
【図５−３】患者と管理番号との対応関係を示した図である。
【図５−４】療事と管理番号との対応関係を示した図である。
【図５−５】時間と管理番号との対応関係を示した図である。
【図６】ベルト表示の例を示した図である。
【図７】立体スパイラル表示の例を示した図である。
【図８】平面スパイラル表示の例を示した図である。
【図９】絞込立体スパイラル表示の例を示した図である。
【図１０】ある看護師のその日の全体のベルト表示のスケジュールを左に、その看護師がその日に担当する患者毎のベルト表示を右側に表した図である。
【図１１】ある看護師のその日の全体の平面スパイラル表示のスケジュールを左に、その看護師がその日に担当する患者毎の平面スパイラル表示を右側に表した図である。
【図１２】ある看護師のその日の全体の立体スパイラル表示のスケジュールを左に、その看護師がその日に担当する患者毎の立体スパイラル表示を右側に表した図である。
【図１３】ある看護師のその日の全体の立体スパイラル表示のスケジュールを左に、その看護師がその日に担当する患者毎の絞込立体スパイラル表示を右側に表した図である。
【図１４】ある看護師のその日の全体の立体スパイラル表示のスケジュールを左に、その看護師がその日に担当する療事毎の絞込立体スパイラル表示を右側に表した図である。
【図１５】図１０に示した並列的なベルト表示に水平線を表示させた例である。
【図１６】図１０に示した並列的なベルト表示にスポットライトをあてた表示例である。
【図１７】パイチャートの並列表示例を示した図である。
【図１８】業務移管の様子を概念的に示した図である。
【図１９】従来のスケジュール表の例を示した図である。
【符号の説明】
【０１４７】
１００  スケジュール表示装置
１０１（２０７）        キーボード
１０２（２０８）        マウス
１０４（２０６）        モニタ
１０５（２１１）        スピーカ
２０１  ＣＰＵ
２０３  ＲＡＭ
２０４  ハードディスク
２２０  アプリケーション部
２２２  ＤＢ構築プログラム
２２３  スケジュール構築プログラム
２２４  スケジュール加工プログラム
２２５  ＤＢ管理プログラム
２２６  テーブル管理プログラム
２３０  ＤＢ部
２３１  看護師情報格納部
２３２  患者情報格納部
２３３  療事情報格納部
２３４  時間情報格納部
２３５  テーブル格納部
３０１  情報入力部
３０２  情報記憶部
３０３  看護師指定部
３０４  割当部
３０５  スケジュール作成部
３０６  表示部
３０７  表示形態指定部
３０８  表示長変更部
３０９  並列表示制御部
３１０  重複判定部
３１１  警告部
３１２  療事合計部
３１３  パイチャート作成部
３１４  容積変更制御部
【図１】
2006072420.tif 000003
【図２−１】
2006072420.tif 000004
【図２−２】
2006072420.tif 000005
【図３】
2006072420.tif 000006
【図４】
2006072420.tif 000007
【図５−１】
2006072420.tif 000008
【図５−２】
2006072420.tif 000009
【図５−３】
2006072420.tif 000010
【図５−４】
2006072420.tif 000011
【図５−５】
2006072420.tif 000012
【図６】
2006072420.tif 000013
【図７】
2006072420.tif 000014
【図８】
2006072420.tif 000015
【図９】
2006072420.tif 000016
【図１０】
2006072420.tif 000017
【図１１】
2006072420.tif 000018
【図１２】
2006072420.tif 000019
【図１３】
2006072420.tif 000020
【図１４】
2006072420.tif 000021
【図１５】
2006072420.tif 000022
【図１６】
2006072420.tif 000023
【図１７】
2006072420.tif 000024
【図１８】
2006072420.tif 000025
【図１９】
2006072420.tif 000026